(57)【要約】【課題】  内部にスプリンクラーヘッドが収容された円筒形状のリテーナーと、該リテーナーの下端に接続される板状のカバープレートから成るスプリンクラーヘッドカバーにおいて、リテーナーとカバープレートとの接合強度を低下させずに、スプリンクラーヘッドの作動による散水時には散水を妨げないスプリンクラーヘッドカバーを提供する。【解決手段】  リテーナー１の下端から下方へ延びた複数の脚６は屈曲され先端が水平となっており、立下り部分９の断面積が先端の水平部分７の断面積より少なく形成されている。または脚６を放射状に傾いて立ち下がるよう形成し、先端が水平になるよう屈曲させて構成した。【選択図】    図１
2007102284.tif 000002
【特許請求の範囲】
【請求項１】
内部にスプリンクラーヘッドが収容された円筒形状のリテーナーと、該リテーナーの下端に形成されたフランジと接続される板状のカバープレートから成るスプリンクラーヘッドカバーであり、フランジから下方へ延びた複数の脚が形成されており、該脚の先端側はフランジと平行に折り曲げられてカバープレートとの接続面が形成され、脚の立下り部分の断面積が接続面の断面積より少ないことを特徴とするスプリンクラーヘッドカバー。
【請求項２】
内部にスプリンクラーヘッドが収容された円筒形状のリテーナーと、該リテーナーの下端に形成されたフランジと接続される板状のカバープレートから成るスプリンクラーヘッドカバーであり、フランジから下方へ延びた複数の脚が形成されており、該脚は放射状に傾いて立ち下がるよう形成され、脚の先端側はフランジと平行に折り曲げられてカバープレートとの接続面が形成されていることを特徴とするスプリンクラーヘッドカバー。
【請求項３】
前記スプリンクラーヘッドカバーにおいて、脚の立下り部分の幅は、先端の水平部分より狭いことを特徴とする請求項１または２記載のスプリンクラーヘッドカバー。
【請求項４】
前記スプリンクラーヘッドカバーにおいて、脚の立下り部分には開口が形成されていることを特徴とする請求項１または２記載のスプリンクラーヘッドカバー。
【請求項５】
内部にスプリンクラーヘッドが収容された円筒形状のリテーナーと、該リテーナーの下端に形成されたフランジと接続される板状のカバープレートから成るスプリンクラーヘッドカバーであり、フランジには放射方向に複数の脚が垂下して形成されており、該脚の先端側はフランジと平行に折り曲げられてカバープレートとの接続面が形成されていることを特徴とするスプリンクラーヘッドカバー。
【請求項６】
前記スプリンクラーヘッドカバーにおいて、フランジに形成されている脚は、フランジの一部をフランジの半径に沿って下方へ折り曲げて形成されていることを特徴とする請求項５記載のスプリンクラーヘッドカバー。
【請求項７】
前記スプリンクラーヘッドカバーにおいて、リテーナー下端に形成されたフランジ部の周縁部が天井面と接触していることを特徴とする請求項１、２、５記載のスプリンクラーヘッドカバー。
【請求項８】
前記スプリンクラーヘッドカバーにおいて、フランジ部は周縁から中心に向かって水平より下方に傾斜していることを特徴とする請求項７記載のスプリンクラーヘッドカバー。
【請求項９】
前記スプリンクラーヘッドカバーにおいて、フランジ部に形成される脚を設置する箇所に、複数の脚およびカバープレートとの接続面が形成されていることを特徴とする請求項１、５記載のスプリンクラーヘッドカバー。
【発明の詳細な説明】
【技術分野】
【０００１】
本発明は、消火用スプリンクラーヘッドに設置されるスプリンクラーヘッドカバーに関するものである。
【背景技術】
【０００２】
スプリンクラーヘッドカバーは、天井下面から露出しているスプリンクラーヘッドを覆い隠すものであり、内部にスプリンクラーヘッドが収容された円筒形状のリテーナーと、該リテーナーの下端に接続される板状のカバープレートから構成される（例えば、特許文献１参照。）。【０００３】
リテーナーとカバープレートの接続部分の構成として、リテーナーの下端から下方へ延びた複数の脚の先端が水平に屈曲され、接合面が形成されている。該接合面とカバープレートとは低融点合金によってロウ付けされており、スプリンクラーヘッドカバーに用いられる低融点合金はスプリンクラーヘッドの作動を阻害しないように、多くの場合スプリンクラーヘッドの作動温度よりも低い温度で溶融する低融点合金が用いられている。【０００４】
火災が発生した際には、リテーナーとカバープレートとを接合している低融点合金が先に溶融してカバープレートが落下し、リテーナー内部のスプリンクラーヘッドが火災の熱気流に曝されて作動すると、スプリンクラーヘッド内部のノズルが開放してノズルより放出された水がデフレクターに衝突して室内に散布され、消火が行われる。
【０００５】
【特許文献１】登録実用新案第３０１６９８５号公報
【発明の開示】
【発明が解決しようとする課題】
【０００６】
上記のように、火災の熱による低融点合金の溶融によって、リテーナーからカバープレートが落下すると、天井面からリテーナーの脚が垂下した状態になる。続いてスプリンクラーヘッドが作動して水が散布されると、リテーナーの脚が障害物となってリテーナーの脚が設置されている方向への水の散布量が少なくなってしまうという問題がある。【０００７】
従って、リテーナーの脚は小さい程、作動したスプリンクラーヘッドの散水の妨げにならない。しかしながら、脚の部分を小さくするとカバープレートとの接合面の面積が小さくなり、接合強度が低下するおそれがある。カバープレートの接合強度が低下すると、地震の揺れによってカバープレートが落下する可能性や、落下したカバープレートが頭にぶつかる等して怪我をする危険性がある。【０００８】
そこで本発明では、上記問題に鑑み、リテーナーとカバープレートとの接合強度を低下させずに、スプリンクラーヘッドの作動による散水時には散水を妨げないスプリンクラーヘッドカバーを提供することを目的としている。
【課題を解決するための手段】
【０００９】
上記の目的を達成するために、請求項１記載の発明は、内部にスプリンクラーヘッドが収容された円筒形状のリテーナーと、該リテーナーの下端に形成されたフランジと接続される板状のカバープレートから成るスプリンクラーヘッドカバーであり、フランジから下方へ延びた複数の脚が形成されており、該脚の先端側はフランジと平行に折り曲げられてカバープレートとの接続面が形成され、脚の立下り部分の断面積が接続面の断面積より少ないスプリンクラーヘッドカバーである。【００１０】
請求項２記載の発明は、内部にスプリンクラーヘッドが収容された円筒形状のリテーナーと、該リテーナーの下端に形成されたフランジと接続される板状のカバープレートから成るスプリンクラーヘッドカバーであり、フランジから下方へ延びた複数の脚が形成されており、該脚は放射状に傾いて立ち下がるよう形成され、脚の先端側はフランジと平行に折り曲げられてカバープレートとの接続面が形成されているスプリンクラーヘッドカバーである。【００１１】
請求項３記載の発明は、前記スプリンクラーヘッドカバーにおいて、脚の立下り部分の幅は、先端の水平部分より狭いことを特徴とする請求項１または２記載のスプリンクラーヘッドカバーである。【００１２】
請求項４記載の発明は、前記スプリンクラーヘッドカバーにおいて、脚の立下り部分には開口が形成されていることを特徴とする請求項１または２記載のスプリンクラーヘッドカバーである。【００１３】
請求項５記載の発明は、内部にスプリンクラーヘッドが収容された円筒形状のリテーナーと、該リテーナーの下端に形成されたフランジと接続される板状のカバープレートから成るスプリンクラーヘッドカバーであり、フランジには放射方向に複数の脚が垂下して形成されており、該脚の先端側はフランジと平行に折り曲げられてカバープレートとの接続面が形成されているスプリンクラーヘッドカバーである。【００１４】
請求項６記載の発明は、前記スプリンクラーヘッドカバーにおいて、フランジに形成されている脚は、フランジの一部をフランジの半径に沿って下方へ折り曲げて形成されている請求項５記載のスプリンクラーヘッドカバーである。【００１５】
請求項７記載の発明は、前記スプリンクラーヘッドカバーにおいて、リテーナー下端に形成されたフランジ部の周縁部が天井面と接触している請求項１、２、５記載のスプリンクラーヘッドカバーである。【００１６】
請求項８記載の発明は、前記スプリンクラーヘッドカバーにおいて、フランジ部は周縁から中心に向かって水平より下方に傾斜している請求項７記載のスプリンクラーヘッドカバーである。【００１７】
請求項９記載の発明は、前記スプリンクラーヘッドカバーにおいて、フランジ部に形成される脚を設置する箇所に、複数の脚およびカバープレートとの接続面が形成されている請求項１、５記載のスプリンクラーヘッドカバーである。
【発明の効果】
【００１８】
天井面から突出するリテーナーの脚の立下り部分の断面積が水平部分と比較して小さくなるように、立下り部分に開口を設けたり、水平部分よりも幅を狭くする事によって、作動したスプリンクラーヘッドから放出された水流が立下り部分に衝突する面積が少なくなり未散布領域を低減することができる。【００１９】
また、リテーナーの脚を放射状に傾いて立ち下がるよう形成したことで、作動したスプリンクラーヘッドから放出された水は、リテーナーの脚に沿って斜め下方に飛散され、脚が形成された方向の斜め下方に水を飛散することが可能となる。【００２０】
さらに、リテーナーの脚の立下り部分をリテーナーのフランジの半径に沿って下方へ屈曲させることで、立下り部分がスプリンクラーヘッドから放出される水流の阻害となる面積を極力小さくすることが可能である。【００２１】
上記効果によれば、立下り部分がスプリンクラーヘッド３からの水流を阻害しないように設けることができるので、立下り部分の数を増やしてカバープレートとの接合強度を増すことも可能である。
【実施例】
【００２２】
以下、この発明の実施例を図１から図３を参照して説明する。図１は本発明のスプリンクラーヘッドに装着されたスプリンクラーヘッドカバーの断面図、図２はリテーナーの脚の実施形態、図３は図１のスプリンクラーヘッドが作動した状態を表す。【００２３】
図１に示すスプリンクラーヘッドカバーは、リテーナー１とカバープレート２から構成される。リテーナー１は円筒形状であり、上部がスプリンクラーヘッド３の外周面に係合可能なように複数の爪４が中心方向に突設されている。リテーナー１の下端は鍔状のフランジ５となっており、該フランジ５より垂下して形成されている複数の脚６を有する。【００２４】
フランジ５の周縁は、天井側に立ち上がって形成されており周縁部のみが天井と接触している。これは、天井内に設置されたスプリンクラーヘッドを室内側に突出させるために穿設した穴Ｈの縁にバリがあってもフランジ５の周縁が天井面に接触できるように構成したものであり、意匠に配慮したものである。また図１に示す形状以外に、フランジ５を周縁から中心に向かって傾斜するように形成することも可能である。【００２５】
脚６は先端が水平となるように屈曲して形成されており、先端側の接合面７はカバープレート２と低融点合金８によって接合される。脚６の立下り部分９は、作動した際のスプリンクラーヘッド３から放出される水流の阻害とならないように、接合面７の幅よりも狭く形成されている（図２（ａ）参照）。【００２６】
立下り部分９の形状は、上記の形状に限られるものではなく、例えば図２（ｂ）のように開口１０を設けたものや、立下り部分９を斜めに形成してもよく、斜面を細く形成したもの（同図（ｃ））、斜面に開口を設けたもの（同図（ｄ））としてもよい。【００２７】
さらに、同図（ｅ）のように、脚６の折り曲げ位置をフランジ５の半径に沿って屈曲させると、リテーナー１内のスプリンクラーヘッドから放出される水が脚６の影響を殆ど受けずに飛散される。【００２８】
上記の構成によれば、立下り部分９がスプリンクラーヘッド３からの水流を阻害しないように設けることができるので、脚の数を増やしてカバープレートとの接合強度を増すことも可能である。例えば、図２（ｆ）、（ｇ）のように１箇所の設置位置に２つの脚６および接合面７を形成することも可能である。【００２９】
カバープレート２は円盤形状をしており、前述のように低融点合金８によってリテーナー１の脚６と接合している。低融点合金８はスプリンクラーヘッド３の作動温度より低い融点を持つ低融点合金を用いるのが好ましい。【００３０】
また、図示はしていないがフランジ５とカバープレート２の間にバネ部材を介在させることも可能である。バネ部材により低融点合金８が溶融した際にカバープレート２の落下を促す効果がある。【００３１】
続いて、上記構成のスプリンクラーヘッドカバーの作用について説明する。【００３２】
平時において、スプリンクラーヘッドカバーは室内側からスプリンクラーヘッド３が見えないように覆い隠すものであり、天井面からはカバープレート２のみが露出している。火災が発生すると、リテーナー１とカバープレート２とを接合している低融点合金８が火災の熱によって溶融し、カバープレート２が落下する。【００３３】
カバープレート２の落下によってリテーナー１内のスプリンクラーヘッド３が露出して、デフレクター１２が所定位置まで落下する。火災の熱気流はリテーナー１の内部に流入して、スプリンクラーヘッドの感熱分解部１１を作動させる。感熱分解部１１の作動によりスプリンクラーヘッド３の弁体が開放され、図示しないノズルより配管内の水が放出される（図３参照）。【００３４】
ノズルより放出された水はデフレクター１２に衝突して、四方に飛散される。その際、リテーナー１の脚６の幅が狭く形成されているので、脚６の外側の方向にも水が散布され、未散布領域が低減される。また、図２（ｃ）、（ｄ）のように脚６が斜めに形成された場合には、脚６に衝突した水が斜面に沿って斜め下方に飛散され、脚の外側の方向へ水が散布され、未散布領域が低減される。【００３５】
上記実施例においては、カバープレートの落下によりデフレクターが所定位置まで落下する構造のスプリンクラーヘッドを用いて説明しているが、これに限定するものではなく、スプリンクラーヘッドの作動の後にデフレクターが落下する構造のものを用いることも可能である。
【図面の簡単な説明】
【００３６】
【図１】本発明のスプリンクラーヘッドに装着されたスプリンクラーヘッドカバーの断面図
【図２】リテーナーの脚の実施形態
【図３】図１のスプリンクラーヘッドが作動した状態
【符号の説明】
【００３７】
１  リテーナー  
２  カバープレート  
３  スプリンクラーヘッド  
４  爪  
５  フランジ  
６  脚  
７  水平部  
８  低融点合金  
９  立下り部
【図１】
2007102284.tif 000003
【図２】
2007102284.tif 000004
【図３】
2007102284.tif 000005
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
（削除）
【請求項２】
内部にスプリンクラーヘッドが収容された円筒形状のリテーナーと、該リテーナーの下端に形成されたフランジと接続される板状のカバープレートから成るスプリンクラーヘッドカバーであり、フランジから下方へ延びた複数の脚が形成されており、該脚は放射状に傾いて立ち下がるよう形成され、脚の先端側はフランジと平行に折り曲げられてカバープレートとの接続面が形成されていることを特徴とするスプリンクラーヘッドカバー。
【請求項３】
（削除）
【請求項４】
内部にスプリンクラーヘッドが収容された円筒形状のリテーナーと、該リテーナーの下端に形成されたフランジと接続される板状のカバープレートから成り、フランジから下方へ延びた複数の脚が形成されているスプリンクラーヘッドカバーにおいて、脚の立下り部分には開口が形成されていることを特徴とするスプリンクラーヘッドカバー。
【請求項５】
内部にスプリンクラーヘッドが収容された円筒形状のリテーナーと、該リテーナーの下端に形成されたフランジと接続される板状のカバープレートから成るスプリンクラーヘッドカバーであり、フランジの一部をフランジの半径に沿って下方へ折り曲げて形成された脚が設けられ、該脚の先端側は水平に折り曲げられてカバープレートとの接続面が形成されていることを特徴とするスプリンクラーヘッドカバー。
【請求項６】
（削除）
【請求項７】
前記スプリンクラーヘッドカバーにおいて、リテーナー下端に形成されたフランジ部の周縁部が天井面と接触していることを特徴とする請求項２または５記載のスプリンクラーヘッドカバー。
【請求項８】
前記スプリンクラーヘッドカバーにおいて、フランジ部は周縁から中心に向かって水平より下方に傾斜していることを特徴とする請求項７記載のスプリンクラーヘッドカバー。
【請求項９】
内部にスプリンクラーヘッドが収容された円筒形状のリテーナーと、該リテーナーの下端に形成されたフランジと接続される板状のカバープレートから成るスプリンクラーヘッドカバーであり、フランジから下方へ延びた複数の脚が形成されており、脚の設置位置に一対の対称に形成した脚およびカバープレートとの接続面が形成されていることを特徴とするスプリンクラーヘッドカバー。
【請求項１０】
前記スプリンクラーヘッドカバーにおいて、脚の立下り部分をリテーナーのフランジの半径に沿って下方へ屈曲させていることを特徴とする請求項９記載のスプリンクラーヘッドカバー。
【手続補正２】
【補正対象書類名】明細書
【補正対象項目名】０００２
【補正方法】変更
【補正の内容】
【０００２】
ナーの脚が設置されている方向への水の散布量が少なくなってしまうという問題がある。
［０００７］
従って、リテーナーの脚は小さい程、作動したスプリンクラーヘッドの散水の妨げにならない。しかしながら、脚の部分を小さくするとカバープレートとの接合面の面積が小さくなり、接合強度が低下するおそれがある。カバープレートの接合強度が低下すると、地震の揺れによってカバープレートが落下する可能性や、落下したカバープレートが頭にぶつかる等して怪我をする危険性がある。
［０００８］
そこで本発明では、上記問題に鑑み、リテーナーとカバープレートとの接合強度を低下させずに、スプリンクラーヘッドの作動による散水時には散水を妨げないスプリンクラーヘッドカバーを提供することを目的としている。
課題を解決するための手段
［０００９］
［００１０］
上記の目的を達成するために、請求項２記載の発明は、内部にスプリンクラーヘッドが収容された円筒形状のリテーナーと、該リテーナーの下端に形成されたフランジと接続される板状のカバープレートから成るスプリンクラーヘッドカバーであり、フランジから下方へ延びた複数の脚が形成されており、該脚は放射状に傾いて立ち下がるよう形成され、脚の先端側はフランジと平行に折り曲げられてカバープレートとの接続面が形成されているスプリンクラーヘッドカバーである。
［００１１］
［００１２］
請求項４記載の発明は、内部にスプリンクラーヘッドが収容された円筒形状のリテーナーと、該リテーナーの下端に形成されたフランジと接続される板状のカバープレートから成り、フラシジから下方へ延びた複数の脚が形成されているスプリンクラーヘッドカバーにおいて、脚の立下り部分には開口が形成されているスプリンクラーヘ
【手続補正３】
【補正対象書類名】明細書
【補正対象項目名】０００３
【補正方法】変更
【補正の内容】
【０００３】
ッドカバーである。
［００１３］
請求項５記載の発明は、内部にスプリンクラーヘッドが収容された円筒形状のリテーナーと、該リテーナーの下端に形成されたフランジと接続される板状のカバープレートから成るスプリンクラーヘッドカバーであり、フランジの一部をフランジの半径に沿って下方へ折り曲げて形成された脚が設けられ、該脚の先端側は水平に折り曲げられてカバープレートとの接続面が形成されているスプリンクラーヘッドカバーである。
［００１４］
［００１５］
請求項７記載の発明は、前記スプリンクラーヘッドカバーにおいて、リテーナー下端に形成されたフランジ部の周縁部が天井面と接触している請求項２または５記載のスプリンクラーヘッドカバーである。
［００１６］
請求項８記載の発明は、前記スプリンクラーヘッドカバーにおいて、フランジ部は周縁から中心に向かって水平より下方に傾斜している請求項７記載のスプリンクラーヘッドカバーである。
［００１７］
請求項９記載の発明は、内部にスプリンクラーヘッドが収容された円筒形状のリテーナーと、該リテーナーの下端に形成されたフランジと接続される板状のカバープレートから成るスプリンクラーヘッドカバーであり、フランジから下方へ延びた複数の脚が形成されており、脚の設置位置に一対の対称に形成した脚およびカバープレートとの接続面が形成されているスプリンクラーヘッドカバーである。
請求項１０記載の発明は、前記スプリンクラーヘッドカバーにおいて、脚の立下り部分をリテーナーのフランジの半径に沿って下方へ屈曲させている請求項９記載のスプリンクラーヘッドカバーである。
発明の効果
［００１８］
天井面から突出するリテーナーの脚の立下り部分の断面積が水平部分と比較して小さくなるように、立下り部分に開口を設けたり、水平部分よりも幅を狭くする事によって、作動したスプリンクラーヘッドから放出された水流が立下り部分に衝突する面積が少なくなり未散布領域を低減することができる。
［００１９］
また、リテーナーの脚を放射状に傾いて立ち下がるよう形成したことで、作動したスプリンクラーヘッドから放出された水は、リテーナーの脚に沿って斜め下方に飛散され、脚が形成された方向の斜め下方に水を飛散することが可能となる。
［００２０］
さらに、リテーナーの脚の立下り部分をリテーナーのフランジの半径に沿って下方
【国際調査報告】
2007102284.tif 000006
2007102284.tif 000007
2007102284.tif 000008
2007102284.tif 000009